(57)【要約】本発明は、吊り天井（２）を用い、天井（１）と密閉された吊り天井（２）と壁（３）との間の空隙によって作られる容積内への、処理された空気の取り入れ口を設け、前記壁と吊り天井の縁部に固定される部分（６）の間の、前記壁に平行で、均一に間隔が空けられた僅かな幅のスペーサー（４）を備え、前記壁または前記吊り天井の縁部に固定される部分に固定された、前記スペーサーは、前記壁と前記吊り天井との間に空隙を設け、建物の周縁全体にわたる空気拡散を可能とするように、壁に沿う空気拡散を確実にする空気調整装置に関する。前記装置は、空気拡散が妨げられるべきゾーンにおける前記空隙を閉じるように、前記部分と前記壁との間に把持される１つまたはいくつかのビード（７）が設けられることを特徴としている。
2004522926.tif 000002
【特許請求の範囲】
【請求項１】
吊り天井（２）を用い、天井（１）と、密閉された吊り天井（２）と、壁（３）との間の空間によって作られる容積内に、処理された空気が、入ることを可能とすることによって前記壁に沿う空気の拡散を確実にする空気調整装置であって、壁（３）と吊り天井（２）のエッジレール（６）との間に、前記壁と平行に、均等に間隔を空けて配置された幅の狭い横材（４）を備え、壁（３）または吊り天井（２）のエッジレール（６）に取り付けられた、前記横材（４）が、前記建物の周縁全体にわたって空気の拡散を可能とするように壁（３）と吊り天井（２）との間に空間を確保し、所定のゾーンに、前記空気の拡散を妨げることが所望される前記ゾーンにおける空間を閉じるように、レール（６）と壁（３）との間に把持される１つまたはいくつかの棒材（７）を装備することを特徴とする、空気調整装置。
【請求項２】
レール（６）と壁（３）との間に把持される棒材（７）が、無垢の棒材である、請求項１に記載の装置。
【請求項３】
レール（６）と壁（３）との間に把持される棒材（７）が、孔またはスロットのような開口部が貫通した棒材である、請求項１に記載の装置。
【請求項４】
前記吊り天井のエッジレール（６）が、その上部に、湾曲形状（８）を備え、その壁側の上稜部（１５）で、この湾曲形状の曲面の中心が前記建物の内部へ向けられる、請求項１に記載の装置。
【請求項５】
壁（３）に垂直な、厚みが壁（３）とレール（６）の芯の壁側面（３５）との間の距離よりも薄い棒材（９）が、前記建物の周縁全体にわたってまたは周縁の一部にわたって、レール（６）と壁（３）との間の空間（５）で把持される、請求項１に記載の装置。
【請求項６】
レール（６）には、空間（５）の可変閉塞を可能とする手段が設けられる、請求項１に記載の装置。
【請求項７】
空間（５）の可変閉塞を可能とする手段が、一方で、その上部においてレール（６）と一体化される水平ウィング（１２）および、他方で、エッジレール（６）とその上の上部ウィング（１２）に平行で、湾曲形状（１３）によって前記壁の傍に延び、曲面の中心が前記建物の内部へ向けられるブレード（１１）からなるストリップ（２０）を具備し、前記壁側の前記湾曲形状の端部（１４）が、曲面部分（１３）とブレード（１１）との間に密閉された箱を生成するＬ字形状（３３）を示す、レール（６）の前記壁側の上稜部（１５）上に載置することによって、横材（４）の上方の空間（５）を通り、前記ストリップ（２０）が、稜部（１５）よりも建物側端（１７）に近接して配置される垂直ブレード（１６）によってレール（６）の上部ウィング（１２）に結合され、前記手段が、ジョイント（１８）の周りでストリップ（２０）の回転を作動させることを可能とする手段をも備える空間（５）の可変閉塞を可能とする、請求項６に記載の装置。
【請求項８】
ばね（２１）が、ストリップ（２０）のブレード（１１）とレール（６）のウィング（１２）との間で端部（１７）近傍に、一定間隔で配置され、ストリップ（２０）がレール（６）のストップ（１５）に対して当接し続ける、請求項７に記載の装置。
【請求項９】
ジョイント（１８）の周りでストリップ（２０）の回転を作動させることを可能とする手段が、均等に間隔を空けて配置され、サーキットブレーカーによりまたは建物の特定の位置および特定の階層における所定の温度に従い、離れたところで制御される電磁石（２２）からなる、請求項７に記載の装置。
【請求項１０】
ジョイント（１８）の周りでストリップ（２０）の回転を作動させることを可能とする手段が、均等に間隔を空けて配置された、ワックス、液体または飽和蒸気を収容する貯蔵器（２３）、いわゆるワックスまたは液体または飽和蒸気の膨張バルブからなり、前記バルブが、それらの上部に、ピストン（２４）または弾性膜またはふいごを有し、前記バルブ内に配置されるワックスまたは液体または流体の蒸気の膨張を生じさせる温度が上昇する場合に、ジョイント（１８）の周りでストリップ（２０）の回転を作動させる、請求項７に記載の装置。
【請求項１１】
ジョイント（１８）の周りでストリップ（２０）の回転を作動させることを可能とする手段が、異なる膨張係数を有する２つの材料からなる、２つの長いウィング（２６）および（２７）を備えるＵ字形状のバイメタルストリップ（２５）からなり、前記バイメタルストリップは、この目的のためにストリップ（２０）のブレード（１１）およびレール（６）のウィング（１２）に設けられたスロット（２８）および（２９）に一定の間隔で把持される、請求項７に記載の装置。
【請求項１２】
空間（５）の可変閉塞を可能とする手段が、湾曲形状（３１）によって前記壁側で終端し、その端部が空間（５）を通り、その他の端部によって水平ウィング（１２）の端部（３２）に取り付けられる、波形部分（３０）を備え、前記部分（３０）が、その上面において、部分（３０）を構成する材料よりも小さい熱膨張係数を有する材料からなるシート（３４）によって覆われ、一体化される、請求項６に記載の装置。
【発明の詳細な説明】
【０００１】
この発明は、壁、天井および密閉された吊り天井の間に作られる、しかし、その周縁部の全体または一部にわたって確保されるわずかな空間を備える、容積に収容される処理された空気を使用する建物の空気調整装置に関する。前記吊り天井を冷房しまたは暖房した後の、次に前記建物に放出するこの処理された空気は、建物の残りの暖房または冷房、並びに建物の空気の混合および入れ替え、を保証するために、前記壁と前記吊り天井との間の空間内に拡散する。
【０００２】
天井による空気調整プロセスは、既知の３つのカテゴリーに本質的に分割される。
【０００３】
・いわゆる静的プロセスであって、それは全ての場合において独立の換気システムによって空気の入れ替えを必要とし、暖房モードにおいて電気的加熱薄膜または温水循環による吊り天井の温度の上昇を確実にし、この吊り天井は、次に放射による建物の暖房を確実にするが、気温の快適さを阻害するしばしば吊り天井の温度が高くなりすぎる欠点を示す。冷房モードでは、これらの同様のプロセスは、吊り天井を冷房するために（欧州特許第０５５２６９０号明細書）、例えばコイルの循環水を用い、次に建物へ放出するが、凝縮の問題を防止し、それゆえそのようなシステムでの冷房能力を制限するようにするために、吊り天井の温度を制限する欠点を示す。最後に、これらのシステムは一般に、２つのモード、すなわち暖房または冷房、の一方のみで稼動する。
【０００４】
・吊り天井内に配置されたノズル、スロットまたは線形拡散器を経由して熱いまたは冷たい空気の混合物を吹き出すことによるプロセス（米国特許第３７７９１５０号明細書）は、居住容積への処理された空気をかなりのスピードで取り込むことを必要とする。これらのプロセスは、気流の刺激に起因し、空気が建物内で均一に分散されないので、居住者に気温の不快感を引き起こす。
【０００５】
・透過性の吊り天井の全体への空気の拡散を用いるプロセスは、暖房モードおよび冷房モードの両方において、快適さに関して良好な性能レベルを有するが、結果的にすぐに透過性天井が汚染する欠点を呈示する。
【０００６】
また、独国特許第８９０８６７２号明細書によって、空気調整設備の空気通路の周縁空間の生成を可能とする吊り天井アタッチメントが知られており、このアタッチメントは、横材により、等間隔で実施される。そのような実施形態は、しかし望ましい通路に沿う空気の拡散に特別に影響を及ぼすことができない。
【０００７】
さらに、米国特許第３３５２０７６号明細書は、長さにわたって、均等の間隔で配置された密閉可能な開口が装備され、要求に基づいて開閉可能な吊り天井部分について説明している。しかしながら、この文献は、壁に沿う所定の位置への空気の流れの柔軟で、注意深い制御を可能とする手段について説明していない。
【０００８】
この発明は、建物内の壁に沿う空気の拡散を改善することを可能とし、同時にその分散を完全に制御する空気調整装置を提案することによってこれらの欠点を除去することをその目的としている。以下、空気調整は、居住者のために快適さに優れた状況を確立するための適切な建物における人工的環境の作成として定義される。
【０００９】
この目的のために、吊り天井を用い、天井と、密閉された吊り天井と、壁との間の空間によって作られる容積内に、処理された空気が、入ることを可能とすることによって前記壁に沿う空気の拡散を確実にする空気調整装置であって、壁と吊り天井のエッジレールとの間に、前記壁と平行に、均等に間隔が空けられた幅の狭い横材を備え、壁または吊り天井のエッジレールに取り付けられた、前記横材が、前記建物の周縁全体にわたって空気の拡散を可能とするように壁と吊り天井との間に空間を確保し、所定のゾーンに、前記空気の拡散を妨げることが所望される前記ゾーンにおける空間を閉じるように、レールと壁との間に把持される１つまたはいくつかの棒材が装備されることを特徴とする。
【００１０】
本発明による装置は、吊り天井を用い、壁に沿う空気の拡散を確保することによって建物の空気調整を可能とする。処理された空気が、天井、密閉された吊り天井、および壁の間の空間によって作り出される容積に、入ることを許容する。処理された空気は、新たな空気、または再循環された空気または２つの混合物とすることができる。処理された空気はフィルタリングされ、所望の程度の湿度に設定され、冷気または暖気され得る。この処理された空気は、天井と吊り天井との間の壁に形成された１つまたはそれより多くの取り入れ口といった任意の適切な手段によって吊り天井の上方の容積に取り込まれる。この処理された空気は、また、ファン対流式暖房機ユニットまたはもしも吊り天井と天井との間の空間が適当であれば、吊り天井上の容積内に直接的に配置される天井ライトボックスによっても生成され得る。
【００１１】
本発明による装置は、前記壁と前記吊り天井の前記エッジレールとの間に、前記壁に平行で、等間隔に空けられた幅の狭い横材をこの目的のために具備している。前記吊り天井は、剛性材料から作られ得るか、または前記エッジレール間に敷かれた密封された弾性膜からなる。前記横材は、前記壁と前記吊り天井との間に空間を確保し、従って前記建物の周縁全体にわたって前記空気の拡散を可能とする。これらの横材は、前記壁または前記吊り天井の前記エッジレールに、例えば、ボルト締めされており、前記建物内における前記処理された空気の所定の拡散速度を得るべく計算された前記壁に対して垂直の厚みを有している。前記横材は、もしもエッジレールが、例えば、単一の注入成形操作によるプラスティック材料で生成されるならば、前記エッジレールに一体化して作ることもできる。前記処理された空気は、前記吊り天井の上の容積内に非常に遅いスピードで拡がるとき、建物に逐次放出して、前記天井および前記吊り天井を暖気または冷気する。前記空気は、次に適度の温度で前記建物の居住ゾーンの外側の前記壁に沿って拡散し、残りの暖気または冷気、または、建物の空気の混合、さらに、場合によっては空気の入れ替えを確実なものとする。以下の理由により、本発明による装置から相当な快適さが結果として得られる：
・建物の熱負荷が、部分的に放射により、そして部分的に建物内における空気の循環により確保され、
・異なる壁および空気の間の温度差がそれゆえ低減され、
・前記空気は、建物の居住ゾーンを越えて拡散され、
・前記空気は、建物全体に均一に拡散される。
【００１２】
本発明の特徴によれば、前記レールと前記壁との間に把持される棒材は、無垢の棒材であることができる。これらの棒材を、孔またはスロットのような開口部が貫通した形状で作成することもできる。それゆえ、例えば、再循環空気の再生または汚れた空気の抜き出しの近傍における前記空気の拡散を防止することができ、建物内に循環させることなく、空気の直接的な再生を実現するであろう。
【００１３】
特定の実施形態によれば、天井と吊り天井との間に作られる空間における空気循環の負荷の損失を低減するために、前記吊り天井のエッジレールが、その上部に、湾曲形状を備え、壁側の上稜部でこの湾曲形状の曲面の中心は建物の内部へ向けられる。
【００１４】
冷房モードにおいては、空気は、周囲の空気よりも重いことに起因して、壁と吊り天井との間に確保された空間内におけるスピードが低ければ、建物に容易に入る。対照的に、暖房モードにおいては、この空気を建物に入れ、層化現象を回避するために、この拡散スピードを加速することが必要である。この目的のために、特定の実施形態によれば、壁に垂直な厚みが、壁とエッジレールの芯の壁側面との間の距離よりも薄い、棒材が、例えば底部によって、建物の周縁全体にわたってまたは周縁の一部にわたって、エッジレールと壁との間の空間で、把持される。壁に平行に延在し、棒材上に均等の間隔を空けて配置される幅の狭い可撓性のあるブレードは、ばね効果によって、前記棒材の把持を可能とし得る。
【００１５】
上述された解決法は、それから暖気または冷気の要求に従って前記棒材の設置、次いで除去を必要とするという短所を有する。以下に説明される全ての特定の実施形態は、例えば、建物内のある階層のある場所における所定の温度において、壁とエッジレールとの間に確保される空間の閉塞の程度を制御することによって、この短所を除去することを目的とする。
【００１６】
この目的のために、エッジレールには、壁と前記エッジレールとの間に確保される空間の可変閉塞を可能とする手段が設けられる。
【００１７】
特定の実施形態によれば、壁とエッジレールとの間に確保される空間の可変閉塞を可能とする手段は、一方で、その上部において前記エッジレールと一体化される水平ウィング、および、他方で、前記エッジレールとその上の上部ウィングに平行で、湾曲形状によって前記壁側から延び、曲面の中心が前記建物の内部へ向けられるブレードからなる閉塞ストリップと称される部分を具備し、前記壁側の前記湾曲形状の端部は、前記エッジレールの前記壁側の上稜部上に載置することによって、横材の上方の壁とエッジレールとの間に確保された空間を丁度通り、前記閉塞の形態は、さらに、曲面部分とブレードとの間に密閉された箱を生成するＬ字形状を有し、前記閉塞ストリップが、エッジレールの壁側の上稜部よりも建物側端に近接して配置される垂直ブレードによってエッジレールの上部ウィングに結合され、前記閉塞ストリップと垂直ブレードとの間のこのジョイントが、その上部の厚みの薄いゾーンまたは他の任意の手段によって達成される。また、前記ジョイントの周りで前記閉塞ストリップの回転を作動させることを可能とする手段も設けられる。さらに、横材よりも厚みの薄い前記壁に垂直な、しかし前記横材のそれと本質的に同一または等しい壁に平行な幅を有するブロックが、前記空間の閉塞を制限するように前記壁に高さを揃えて配置され得る。
【００１８】
他の特定の実施形態によれば、以下伸縮自在ばねと称されるコイルばねまたは板ばねが、閉塞ストリップのブレードとエッジレールの水平上部ブレードとの間で建物側端部の近傍に、均等な間隔で配置され、閉塞ストリップがエッジレールの上壁側ストップに対して当接し続ける。
【００１９】
特定の実施形態によれば、ジョイントの周りで閉塞ストリップの回転を作動させることを可能とする手段は、均等に間隔が空けられた電磁石からなり、閉塞ストリップのブレードとエッジレールの上部水平ウィングとの間のエッジレールに作られた凹所により、エッジレールと閉塞ストリップとの間に、しかし壁側から連結を作る垂直ブレードに近接して搭載される。前記電磁石は、サーキットブレーカーによってまたは天井と密閉された吊り天井と壁との間の空間によって作られた容積内に配置される温度センサーに従い離れたところで制御される。前記電磁石の作用は、建物が冷房でなく暖房されることを必要とするときに、ジョイントの周りで閉塞ストリップの回転を生じる。もしも必要ならば、ブロックに対して当接する位置への閉塞ストリップの帰還が伸縮自在ばねの作用によって行なわれる。
【００２０】
特定の実施形態によれば、前記ジョイントの周りで閉塞ストリップの回転を作動させることを可能とする手段は、均等に間隔を空けて配置され、閉塞ストリップのブレードとエッジレールの水平ウィングとの間のエッジレールに作られた凹所により、エッジレールと閉塞ストリップと壁側との間に結合を作る垂直ブレードに近接して、搭載された、ワックス、液体または飽和蒸気を収容する貯蔵器、いわゆるワックスまたは液体または飽和蒸気の膨張バルブ、からなる。
それらの上部に、前記バルブは、温度が上昇した場合にジョイントの周りで閉塞ストリップの回転を作動させ、前記バルブ内に配置されるワックスまたは液体または流体の蒸気の膨張を生じさせるピストンまたは弾性膜またはふいごを具備する。
【００２１】
特定の実施形態によれば、ジョイントの周りで閉塞ストリップの回転を作動させることを可能とする手段は、非常に異なる膨張係数を有する２つの材料からなり、全体の面にわたって互いに一体化される、２つの長い水平ウィングを備えるＵ字形状のバイメタルストリップからなる。前記バイメタルストリップは、この目的のために建物側端部における閉塞ストリップのブレードおよび建物側端部におけるエッジレールの上部水平ウィングに設けられたスロットに一定の間隔で把持され、前記バイメタルストリップは、バイメタルストリップを構成する２つの材料のうち、温度上昇の影響のもとで、より大きな膨張係数を有するものが、バイメタルストリップを構成するＵ字形状の外面上に配置されるように作成される。それゆえ、吊り天井の上方に位置する空気温度が上昇する場合には、バイメタルストリップの２つの端部が近接すると、エッジレールと閉塞ストリップとの間の結合を確実にする垂直ブレードの頂部に設けられたジョイントの周りの回転によって閉塞ストリップの上昇が生起する。
【００２２】
特定の実施形態によれば、壁とエッジレールとの間に確保された空間の可変閉塞を可能とする手段は、湾曲形状によって前記壁側で終端し、その端部が、壁とエッジレールとの間に確保された空間を通り、その他の端部によってエッジレールの上部水平ウィングの建物側端部に取り付けられる、波形部分を備え、前記波形部分は、その上面において、波形部分を構成する材料よりも低い熱膨張係数を有する材料からなるシートによって覆われ、一体化される。波形部分を構成する２つの材料の異なる膨張の効果によって、吊り天井の上方の容積における温度上昇の間に、壁とレールとの間に確保される空間の多かれ少なかれ有意な閉塞が結果として得られ、この閉塞は、場合によっては横材の上方に配置するブロックによって制限される。
【００２３】
添付図面により、本発明を図解する。
【００２４】
これらの図面を参照すると、本発明による装置は、壁３と吊り天井２との間に、前記壁に平行で、均等に間隔を空けて配置された幅の狭い、横材４を具備する。これらの横材は、従って壁３とレール６との間に空間５を確保する。この空間は、吊り天井２および天井１との対流によるこの空気の熱交換に起因して、天井１と、閉塞された吊り天井２と、壁３との間の空間によって作られた吊り天井容積への通過の後に和らげられた処理された空気の建物の周縁全体にわたる拡散を可能とする。前記横材４は、壁３またはエッジレール６に、例えば、ボルト締めされ、あるいはもしもレール６が、単一の注入成型操作のプラスティック材料により作られていれば、レール６と直接的に一体化される。これらの横材は、かなり低い入れ替え速度の建物内の処理された空気の拡散速度を得るべく計算された、壁３に垂直な厚みを有する。
【００２５】
本発明によれば、空気調整装置が、所定のゾーンに、空気の拡散を阻止することが所望されるゾーンの空間５を閉じるように、レール６と壁３との間に把持される１つまたはそれより多くの棒材７を装備する。
【００２６】
本発明の第１の実施形態によれば、レール６と壁３との間に把持される棒材７は、無垢の棒材であり得る。本発明の他の実施形態によれば、これらの棒材７を孔またはスロットのような開口部により貫通された棒材の形態で作成することも可能である。
【００２７】
図６に従う実施形態によれば、吊り天井のエッジレール６は、その上部において、壁側の上稜部１５上に湾曲形状８を備え、この湾曲形状８の曲面の中心は、建物の内部方向へ向けられている。この湾曲形状８は、そこで圧力低下を低減することにより、空間５への空気の流れを容易にするという利点を有している。
【００２８】
図７に従った実施形態によれば、壁３に垂直な厚みが、壁３と、レール６の芯の壁の傍の面３５との間の距離よりも薄い棒材９が、レール６の面３５に向けてまたは壁に向けて空間５内に配置される。この棒材は、ばね効果によって、レール６と壁３との間の空間５内で、棒材の把持を達成するように、その壁側面に、壁に平行に延び、前記棒材上に等しく間隔を空けて配置される幅の狭い可撓性ブレード１０を具備することができる。建物の周縁全体にわたってまたは周縁の一部にわたって配置される、この棒材９は、空気のスピードを増加させ、それゆえ、装置が暖房モードで動作しているときに、建物内で空気を下方に向けるように、空間５における処理された空気の通過断面を減小させることを可能とする。
【００２９】
エッジレール６には、壁とエッジレール６との間に確保された空間５の可変閉塞を可能とする手段が設けられ得る。
【００３０】
図８は、壁とエッジレールとの間に確保された空間の可変閉塞を可能とする手段を示している。エッジレール６は、一方で、レールの上部においてレール６と一体化される水平ウィング１２、および、他方で、エッジレール６およびその上の上部ウィング１２に平行で、湾曲形状１３によって前記壁側から延び、湾曲形状の曲面の中心が建物の内部へ向けられるブレード１１からなるストリップ２０を具備し、前記壁側の前記湾曲形状の端部１４は、レール６の前記壁側の上稜部１５上に載置することによって、横材４の上方の空間５を通る。この閉塞ストリップ２０は、曲げに対して、該閉塞ストリップ２０を剛性にするように、湾曲部分１３とブレード１１との間に閉塞された箱を生成するＬ字形状３３を有する。前記閉塞ストリップ２０が、稜部１５よりも建物側端１７に近接して配置される垂直ブレード１６を介してレール６の上部ウィング１２に結合され、前記ストリップ２０と垂直ブレード１６との間のジョイントが厚みのより薄いゾーン１８または任意の他の手段によって達成され得る。この装置は、ジョイント１８の周りでストリップ２０の回転を作動させることを可能とする手段を備えている。ブロック１９は、壁３と同一面を有して配置され、横材４をそれらの上方へ延長する。それらブロック１９は、横材４よりも薄い、壁に垂直の厚さを有するが、横材４のそれとほぼ同一または等しい、壁に平行な幅を有している。伸縮自在ばねの機能を有するコイルばねまたは板ばね２１がストリップ２０のブレード１１とレール６のウィング１２との間で、レール端部１７の近傍に等間隔で配置され、レール６のストップ１５に対してストリップ２０を当接し続ける。
【００３１】
ジョイント１８の周りでストリップ２０の回転を作動させることを可能とする手段は、均等に間隔を空けて配置され、ストリップ２０のブレード１１とレール６のウィング１２との間で、レール６に作られた凹所３６により、壁側の垂直ブレード１６に近接して搭載される電磁石２２から成ることが出来る。前記電磁石は、サーキットブレーカーによりまたは建物の特定の位置および特定の階層における所定の温度に従い、離れたところで制御される。前記電磁石の作用は、建物が冷房でなく暖房される必要があるときにストリップ２０の上昇を生じさせる。前記電磁石のレベルへの上昇は、ジョイント１８の周りのストリップ２０の回転に起因する梃子の効果によって、縮小される。このストリップ２０の回転は、拡散される空気の速度を減少させるように、空間５の部分的および自動的な閉塞を生じさせる。ブロック１９は、空気がそこでいつも循環するように、この空間の閉塞を制限するストップとして使用され得る。
【００３２】
図９は、ジョイント１８の周りでストリップ２０の回転を作動させることを可能とする手段を示している。この手段は、ワックス、液体または飽和蒸気を収容する貯蔵器２３、いわゆるワックスまたは液体または飽和蒸気の膨張のためのバルブ、を備えており、貯蔵器は、上述された電磁石を有利に置き換えることができる。前記バルブは、実際、それらの上部に、ピストン２４または弾性膜またはベローズを備え、前記バルブ内に配置されているワックスまたは液体または流体の蒸気の膨張を生じさせる温度が上昇する場合に、ストリップ２０の回転を作動させる。
【００３３】
図１０は、ジョイント１８の周りでストリップ２０の回転を作動させることを可能とする手段を示している。この手段は、非常に異なる膨張係数を有する２つの材料からなる、２つの長いウィング２６および２７を備えるＵ字形状のバイメタルストリップ２５からなり、２つの材料はそれらの全体の表面にわたって互いに一体化されており、この目的のためにストリップ２０のブレード１１およびレール６のウィング１２に設けられたスロット２８および２９に一定の間隔で把持される。前記バイメタルストリップは、それらが構成される２つの材料のうち、温度上昇効果の下で最大の膨張係数を有するものがＵ字形状２５の外面に配置されるように作成される。バイメタルストリップを構成する２つの材料の膨張の差が、吊り天井の上方の空気の温度が上昇する場合には、ウィング２８および２９の２つの端部に相互方向への移動を生じさせる。この相互に引き合う動作は、ジョイント１８の周りの閉塞ストリップ２０の回転、従って空間５の部分的な閉塞を生じさせる。
【００３４】
図１１に従う実施形態においては、空間５の可変閉塞を可能とする手段は、湾曲形状３１によって前記壁側で終端し、その端部が空間５を通り、その他の端部によって水平ウィング１２の端部３２に取り付けられる、波形形状３０を備え、前記部分３０は、その上面において、部分３０を構成する材料よりも小さい膨張係数を有する材料からなるシート３４によって覆われ、一体化されている。このようにして、吊り天井の上方の容積における温度上昇の影響下では、部分３０およびシート３４を構成する２つの材料の異なる膨張は、湾曲形状３１を壁に向かって移動させ、それゆえに開口５の部分的な閉塞、すなわち横材の上方に配置されたブロックによって制限される閉塞を生じさせる。
【００３５】
建物の上部に処理された空気を吹き込むことによる従来の空気調整に対して、本発明による装置は、もしも上述された最後の実施形態が用いられるならば、単一の部分の設置、注意深く選択された位置への棒材７の配置、次に吊り天井の配置が要求される。
【００３６】
非限定的な実施例によれば、本発明による装置は、以下のような建物の快適な空気調整を特に意図している。
・アパートおよび住宅、
・銀行、商店、薬局のような商業建物、
・医院および歯科医院、
・高さが非常に高いものを除いた展示ホール、
・オフィスおよびコンピューター室、
・ホテルおよび病室、
・学校および大学。
【００３７】
もちろん、本発明は、上述され、添付図面に示された実施形態に限定されることはない。特に、本発明の保護の範囲を逸脱することなく、種々の要素の構成の観点から、また同等な技術の置き換えによる変更が可能である。
【図面の簡単な説明】
【図１】
図１は、本発明による空気調整された建物の水平面における建物内部を上から見る図である。
【図２】
図２は、本発明による空気調整された建物の垂直面におけるＡ−Ａ断面図である。
【図３】
図３は、壁に垂直な鉛直面における、吊り天井が剛性材料からなる場合のエッジレールの壁との結合の詳細を描く断面図である。
【図４】
図４は、壁に垂直な鉛直面における、吊り天井が伸張された弾性膜からなり、伸張された膜のエッジレールの形状が指示によって与えられる場合のエッジレールの壁との結合の詳細を描く断面図である。
【図５】
図５は、壁に垂直な鉛直面における、本発明を改善する装置を描く断面図である。
【図６】
図６は、壁に垂直な鉛直面における、本発明を改善する装置を描く画断面図である。
【図７】
図７は、壁に垂直な鉛直面における、本発明を改善する装置を描く断面図である。
【図８】
図８は、壁に垂直な鉛直面における、本発明を改善する装置を描く断面図である。
【図９】
図９は、壁に垂直な鉛直面における、本発明を改善する装置を描く断面図である。
【図１０】
図１０は、壁に垂直な鉛直面における、本発明を改善する装置を描く断面図である。
【図１１】
図１１は、壁に垂直な鉛直面における、本発明を改善する装置を描く断面図である。
【図１】
2004522926.tif 000003
【図２】
2004522926.tif 000004
【図３】
2004522926.tif 000005
【図４】
2004522926.tif 000006
【図５】
2004522926.tif 000007
【図６】
2004522926.tif 000008
【図７】
2004522926.tif 000009
【図８】
2004522926.tif 000010
【図９】
2004522926.tif 000011
【図１０】
2004522926.tif 000012
【図１１】
2004522926.tif 000013
【国際公開パンフレット】
2004522926.tif 000014
2004522926.tif 000015
2004522926.tif 000016
2004522926.tif 000017
2004522926.tif 000018
2004522926.tif 000019
2004522926.tif 000020
2004522926.tif 000021
2004522926.tif 000022
2004522926.tif 000023
2004522926.tif 000024
2004522926.tif 000025
2004522926.tif 000026
2004522926.tif 000027
2004522926.tif 000028
2004522926.tif 000029
2004522926.tif 000030
2004522926.tif 000031
2004522926.tif 000032
2004522926.tif 000033
2004522926.tif 000034
2004522926.tif 000035
2004522926.tif 000036
【手続補正書】
【提出日】平成14年9月30日(2002.9.30)
【手続補正１】
【補正対象書類名】明細書
【補正対象項目名】特許請求の範囲
【補正方法】変更
【補正の内容】
【特許請求の範囲】
【請求項１】
吊り天井（２）の上方の容積内に処理された空気を取り込むための手段を備え、天井（１）と、密閉された吊り天井（２）と、壁（３）との間の空間によって作られる容積内に、処理された空気が、入ることを可能とすることによって前記壁に沿う空気の拡散を確実にする空気調整装置を備える建物であって、壁（３）と吊り天井（２）のエッジレール（６）との間に、前記壁と平行に、均等に間隔を空けて配置された幅の狭い横材（４）を備え、壁（３）または吊り天井（２）のエッジレール（６）に取り付けられた、前記横材（４）が、前記建物の周縁全体にわたって空気の拡散を可能とするように壁（３）と吊り天井（２）との間に空間を確保し、所定のゾーンに、前記空気の拡散を妨げることが所望される前記ゾーンにおける空間を閉じるように、レール（６）と壁（３）との間に把持される１つまたはいくつかの棒材（７）を装備することを特徴とする、空気調整装置を備える建物。
【請求項２】
レール（６）と壁（３）との間に把持される棒材（７）が、無垢の棒材である、請求項１に記載の装置。
【請求項３】
レール（６）と壁（３）との間に把持される棒材（７）が、孔またはスロットのような開口部が貫通した棒材である、請求項１に記載の装置。
【請求項４】
前記吊り天井のエッジレール（６）が、その上部に、湾曲形状（８）を備え、その壁側の上稜部（１５）で、この湾曲形状の曲面の中心が前記建物の内部へ向けられる、請求項１に記載の装置。
【請求項５】
壁（３）に垂直な、厚みが壁（３）とレール（６）の芯の壁側面（３５）との間の距離よりも薄い棒材（９）が、前記建物の周縁全体にわたってまたは周縁の一部にわたって、レール（６）と壁（３）との間の空間（５）で把持される、請求項１に記載の装置。
【請求項６】
レール（６）には、空間（５）の可変閉塞を可能とする手段が設けられる、請求項１に記載の装置。
【請求項７】
空間（５）の可変閉塞を可能とする手段が、一方で、その上部においてレール（６）と一体化される水平ウィング（１２）および、他方で、エッジレール（６）とその上の上部ウィング（１２）に平行で、湾曲形状（１３）によって前記壁の傍に延び、曲面の中心が前記建物の内部へ向けられるブレード（１１）からなるストリップ（２０）を具備し、前記壁側の前記湾曲形状の端部（１４）が、曲面部分（１３）とブレード（１１）との間に密閉された箱を生成するＬ字形状（３３）を示す、レール（６）の前記壁側の上稜部（１５）上に載置することによって、横材（４）の上方の空間（５）を通り、前記ストリップ（２０）が、稜部（１５）よりも建物側端（１７）に近接して配置される垂直ブレード（１６）によってレール（６）の上部ウィング（１２）に結合され、前記手段が、ジョイント（１８）の周りでストリップ（２０）の回転を作動させることを可能とする手段をも備える空間（５）の可変閉塞を可能とする、請求項６に記載の装置。
【請求項８】
ばね（２１）が、ストリップ（２０）のブレード（１１）とレール（６）のウィング（１２）との間で端部（１７）近傍に、一定間隔で配置され、ストリップ（２０）がレール（６）のストップ（１５）に対して当接し続ける、請求項７に記載の装置。
【請求項９】
ジョイント（１８）の周りでストリップ（２０）の回転を作動させることを可能とする手段が、均等に間隔を空けて配置され、サーキットブレーカーによりまたは建物の特定の位置および特定の階層における所定の温度に従い、離れたところで制御される電磁石（２２）からなる、請求項７に記載の装置。
【請求項１０】
ジョイント（１８）の周りでストリップ（２０）の回転を作動させることを可能とする手段が、均等に間隔を空けて配置された、ワックス、液体または飽和蒸気を収容する貯蔵器（２３）、いわゆるワックスまたは液体または飽和蒸気の膨張バルブからなり、前記バルブが、それらの上部に、ピストン（２４）または弾性膜またはふいごを有し、前記バルブ内に配置されるワックスまたは液体または流体の蒸気の膨張を生じさせる温度が上昇する場合に、ジョイント（１８）の周りでストリップ（２０）の回転を作動させる、、請求項７に記載の装置。
【請求項１１】
ジョイント（１８）の周りでストリップ（２０）の回転を作動させることを可能とする手段が、異なる膨張係数を有する２つの材料からなる、２つの長いウィング（２６）および（２７）を備えるＵ字形状のバイメタルストリップ（２５）からなり、前記バイメタルストリップは、この目的のためにストリップ（２０）のブレード（１１）およびレール（６）のウィング（１２）に設けられたスロット（２８）および（２９）に一定の間隔で把持される、請求項７に記載の装置。
【請求項１２】
空間（５）の可変閉塞を可能とする手段が、湾曲形状（３１）によって前記壁側で終端し、その端部が空間（５）を通り、その他の端部によって水平ウィング（１２）の端部（３２）に取り付けられる、波形部分（３０）を備え、前記部分（３０）が、その上面において、部分（３０）を構成する材料よりも小さい熱膨張係数を有する材料からなるシート（３４）によって覆われ、一体化される、請求項６に記載の装置。
【国際調査報告】
2004522926.tif 000037
2004522926.tif 000038
2004522926.tif 000039
2004522926.tif 000040
2004522926.tif 000041
2004522926.tif 000042